(57)【要約】【課題】比較的簡易な構成で回復機構を移動させて回復動作を行えると共に装置本体のサイズをいっそう小さくできるインクジェット方式画像形成装置を提供する。【解決手段】回復機構１１０は、プラテン１６の下方のうち印字ヘッド２２が走査する領域（範囲）の下方に配置されている。回復機構１１０は、印字ヘッド２２のインク吐出面を覆うゴム製のキャップ１１２を備えており、このキャップ１１２は、回復機構１１０の上下動に伴って印字ヘッド２２のインク吐出面に接触したり、インク吐出面から離れたりする。キャップ１１２は、印字ヘッド２２のインク吐出面の形状に合わせた直方体状のものである。プラテン１６の下方には、開口１６ａを開閉するためのシャッタユニット１００が配置されている。シャッタユニット１００と回復機構１１０は適宜のタイミングで移動する。【選択図】図８
2006142564.tif 000002
【特許請求の範囲】
【請求項１】
インクを吐出する印字ヘッドからのインク吐出状態を初期のインク吐出状態に回復させる回復機構と、所定の記録媒体搬送領域に配置された、記録媒体が載置されて通過するプラテンとを備え、前記記録媒体搬送領域を搬送されている記録媒体に前記印字ヘッドからインクを吐出して画像を形成するインクジェット方式画像形成装置において、
前記回復機構は、前記記録媒体搬送領域内に配置されたものであり、
前記プラテンは、前記回復機構が出没する開口が形成されたものであることを特徴とするインクジェット方式画像形成装置。
【請求項２】
前記プラテンの前記開口を開閉する開閉機構を備えたことを特徴とする請求項１に記載のインクジェット方式画像形成装置。
【請求項３】
前記開閉機構は、前記プラテンを通過中の記録媒体を所定の記録媒体搬送方向に案内するガイド部材を備えたものであることを特徴とする請求項２に記載のインクジェット方式画像形成装置。
【請求項４】
前記ガイド部材は、前記開閉機構が前記開口を閉じているときには、前記プラテンと同一面上に位置しているものであることを特徴とする請求項３に記載のインクジェット方式画像形成装置。
【請求項５】
前記ガイド部材は、前記プラテンと同一面上に位置するように付勢されているものであることを特徴とする請求項４に記載のインクジェット方式画像形成装置。
【請求項６】
前記開閉機構は、前記回復機構に付着したインクを吸収するインク吸収体を有するものであることを特徴とする請求項２から５までのうちのいずれか一項に記載のインクジェット方式画像形成装置。
【請求項７】
前記回復機構を前記開口の上まで移動させる移動機構、及び記録媒体を搬送する搬送ローラを駆動させる駆動機構双方のうちのいずれかの機構を選択的に駆動させるモータを備えたことを特徴とする請求項３から６までのうちのいずれか一項に記載のインクジェット方式画像形成装置。
【請求項８】
前記プラテンは、該プラテンに記録媒体を吸着するための複数の吸引口が形成されたものであることを特徴とする請求項１から７までのうちのいずれか一項に記載のインクジェット方式画像形成装置。
【請求項９】
前記印字ヘッドは、インクを吐出する複数のインク吐出口が形成されたものであり、
これら複数のインク吐出口は、前記記録媒体搬送方向に所定間隔で並んだものであることを特徴とする請求項１から８までのうちのいずれか一項に記載のインクジェット方式画像形成装置。
【請求項１０】
前記印字ヘッドは、インクを吐出する複数のインク吐出口が形成されたものであり、
これら複数のインク吐出口は、前記記録媒体搬送方向に直交する方向に所定間隔で並んだものであることを特徴とする請求項１から８までのうちのいずれか一項に記載のインクジェット方式画像形成装置。
【請求項１１】
前記印字ヘッドは、前記記録媒体搬送方向に複数並んで配置されたものであることを特徴とする請求項１から１０までのうちのいずれか一項に記載のインクジェット方式画像形成装置。
【請求項１２】
前記印字ヘッドは、前記記録媒体搬送方向に直交する方向に延びるものであることを特徴とする請求項１から１１までのうちのいずれか一項に記載のインクジェット方式画像形成装置。
【発明の詳細な説明】
【技術分野】
【０００１】
本発明は、印字ヘッドから記録媒体にインクを吐出して画像を形成するインクジェット方式画像形成装置に関する。
【背景技術】
【０００２】
印字ヘッドから記録媒体にインクを吐出して画像を形成するインクジェット方式画像形成装置が広く使用されている。このインクジェット方式画像形成装置では、通常、印字ヘッドからのインク吐出状態を初期のインク吐出状態に回復させる（回復動作を行う）回復機構が組み込まれている。この回復機構は、印字ヘッドに直接に接触するキャップなどを備えている。回復機構は、記録媒体の搬送の妨げにならないように、記録媒体搬送領域外に配置されている。回復動作を行う際は、記録媒体搬送領域外に印字ヘッドを移動させた状態で回復機構のキャップを印字ヘッドに接触させて回復動作が行われる。
【０００３】
上記したように回復機構は記録媒体搬送領域外に配置されているので、記録媒体搬送領域外には回復機構を組み込むためのスペース（空間）が必要となり、このスペース分だけ装置本体のサイズが大きくなる。このサイズの大型化を防止するために、紙幅の範囲内に回復機構を配置することにより、装置全体の幅を小さくする技術が提案されている（特許文献１参照）。また、記録媒体が載置されるプラテンを固定プラテンと可動プラテンに分割して可動プラテンの裏側に回復機構を配置することにより、装置本体のキャリッジ移動方向の寸法を回復機構の幅分小さくする技術が提案されている（特許文献２参照）。
【特許文献１】特開平７−２７６６７０号公報
【特許文献２】特開２００１−１６２８１６号公報
【発明の開示】
【発明が解決しようとする課題】
【０００４】
しかし、上記したいずれの技術であっても、複雑な構成によって回復機構を移動するようになっている。このため、装置本体のサイズを小さくするには限界がある。
【０００５】
本発明は、上記事情に鑑み、比較的簡易な構成で回復機構を移動させて回復動作を行えると共に装置本体のサイズをいっそう小さくできるインクジェット方式画像形成装置を提供することを目的とする。
【課題を解決するための手段】
【０００６】
上記目的を達成するための本発明のインクジェット方式画像形成装置は、インクを吐出する印字ヘッドからのインク吐出状態を初期のインク吐出状態に回復させる回復機構と、所定の記録媒体搬送領域に配置された、記録媒体が載置されて通過するプラテンとを備え、前記記録媒体搬送領域を搬送されている記録媒体に前記印字ヘッドからインクを吐出して画像を形成するインクジェット方式画像形成装置において、
（１）前記回復機構は、前記記録媒体搬送領域内に配置されたものであり、
（２）前記プラテンは、前記回復機構が出没する開口が形成されたものであることを特徴とするものである。
【０００７】
ここで、
（３）前記プラテンの前記開口を開閉する開閉機構を備えてもよい。
【０００８】
また、
（４）前記開閉機構は、前記プラテンを通過中の記録媒体を所定の記録媒体搬送方向に案内するガイド部材を備えたものであってもよい。
【０００９】
さらに、
（５）前記ガイド部材は、前記開閉機構が前記開口を閉じているときには、前記プラテンと同一面上に位置しているものであってもよい。
【００１０】
さらにまた、
（６）前記ガイド部材は、前記プラテンと同一面上に位置するように付勢されているものであってもよい。
【００１１】
さらにまた、
（７）前記開閉機構は、前記回復機構に付着したインクを吸収するインク吸収体を有するものであってもよい。
【００１２】
さらにまた、
（８）前記回復機構を前記開口の上まで移動させる移動機構、及び記録媒体を搬送する搬送ローラを駆動させる駆動機構双方のうちのいずれかの機構を選択的に駆動させるモータを備えてもよい。
【００１３】
さらにまた、
（９）前記プラテンは、該プラテンに記録媒体を吸着するための複数の吸引口が形成されたものであってもよい。
【００１４】
さらにまた、
（１０）前記印字ヘッドは、インクを吐出する複数のインク吐出口が形成されたものであり、
（１１）これら複数のインク吐出口は、前記記録媒体搬送方向に所定間隔で並んだものであってもよい。
【００１５】
さらにまた、
（１２）前記印字ヘッドは、インクを吐出する複数のインク吐出口が形成されたものであり、
（１３）これら複数のインク吐出口は、前記記録媒体搬送方向に直交する方向に所定間隔で並んだものであってもよい。
【００１６】
さらにまた、
（１４）前記印字ヘッドは、前記記録媒体搬送方向に複数並んで配置されたものであってもよい。
【００１７】
さらにまた、
（１５）前記印字ヘッドは、前記記録媒体搬送方向に直交する方向に延びるものであってもよい。
【発明の効果】
【００１８】
本発明によれば、記録媒体搬送領域内に回復機構を配置して、この回復機構が出没する開口をプラテンに形成しているので、従来のインクジェット方式画像形成装置に比べて装置の全体サイズ（装置本体のサイズ）を小さくできる。また、回復機構が出没する開口をプラテンに形成するので、比較的簡易な構成で回復機構を移動できる。
【発明を実施するための最良の形態】
【００１９】
本発明は、印字ヘッドから記録媒体にインクを吐出して画像を形成するプリンタに実現された。
【実施例１】
【００２０】
図１と図２を参照して、本発明のインクジェット方式画像形成装置の一例であるプリンタの全体構成を説明する。
【００２１】
図１は、本発明のインクジェット方式画像形成装置の一例であるプリンタを模式的に示す正面図である。図２は、図１のプリンタの記録媒体搬送路とその周辺を示す上面図である。
【００２２】
プリンタ１０は、このプリンタ１０に画像情報を送るホストＰＣ（パソコン）（図示せず）に接続されている。プリンタ１０には、４つの印字ヘッド２２Ｋ、２２Ｃ、２２Ｍ、２２Ｙ（印字ヘッド２２）が搭載されたキャリッジ本体１２が備えられている。キャリッジ本体１２は、図１の紙面に直交する方向（矢印Ａ方向に直交する方向であり、図２の矢印Ｂ方向（走査方向）であり、紙幅方向でもある。）に走査（往復動）する。４つの印字ヘッド２２Ｋ、２２Ｃ、２２Ｍ、２２Ｙは、記録媒体（ここではカット紙）Ｐの搬送方向（矢印Ａ方向）に並んでキャリッジ本体１２に搭載されている。４つの印字ヘッド２２Ｋ、２２Ｃ、２２Ｍ、２２Ｙからはそれぞれ黒、シアン、マゼンタ、イエローの各色のインクが吐出される。これら４つの印字ヘッド２２Ｋ、２２Ｃ、２２Ｍ、２２Ｙは、キャリッジ本体１２と共に走査方向に走査（往復動）する。なお、キャリッジ本体１２の走査領域の近傍には、キャリッジ本体１２の位置を検出する検出センサ５３が配置されている。
【００２３】
カット紙Ｐはプリンタ１０に組み込まれた紙搬送装置６０によって、プラテン１６上を矢印Ａ方向に搬送される。このプラテン１６の配置された領域（プラテン１６が占める領域）が、本発明にいう記録媒体搬送領域である。プラテン１６には、印字ヘッド２２の幅（矢印Ａ方向の長さ）よりもやや長く、印字ヘッド２２の長さ（矢印Ｂ方向の長さ）よりもやや長い長方形の開口１６ａが形成されている。この開口１６ａからは、後述するように、回復機構１１０のキャップ１１２などが出没する。また、プラテン１６には、カット紙Ｐをプラテン１６に吸着させるための複数の吸引口１６ｂが形成されている。プラテン１６の下方には、開口１６ａを開閉するためのシャッタユニット１００が配置されている。シャッタユニット１００と回復機構１１０は、後述するように適宜のタイミングで移動する。
【００２４】
紙搬送装置６０は、カット紙Ｐを印字ヘッド２２の下方（画像形成領域）に搬送するピンチローラ５４と搬送ローラ５６を有する。ピンチローラ５４と搬送ローラ５６でカット紙Ｐを挟持して矢印Ａ方向に搬送する。画像形成領域よりも搬送方向下流側には、カット紙Ｐを挟持しながら排出する拍車５８と排紙ローラ５９が配置されている。なお、ピンチローラ５４と画像形成領域の間にはカット紙Ｐを検知する検知センサ６１が配置されており、拍車５８と画像形成領域の間にはカット紙Ｐを検知する検知センサ６２が配置されている。
【００２５】
カット紙Ｐに画像を形成する際には、搬送ローラ５６などによって搬送中のカット紙Ｐを一旦（一時的に）停止させて、記録データ（画像情報）に基づいて印字ヘッド２２からインクを選択的に吐出してカラー画像をカット紙Ｐに形成する。なお、カット紙Ｐに代えてロ−ル紙に画像を形成したときは、このロ−ル紙はカッタ８２で切断されて排出される。
【００２６】
プリンタ１０には、上記の部品・部材の他、各印字ヘッド２２Ｋ、２２Ｃ、２２Ｍ、２２Ｙに供給されるインクを貯めておくメインタンク２４Ｋ、２４Ｃ、２４Ｍ、２４Ｙ、これら各メインタンク２４Ｋ、２４Ｃ、２４Ｍ、２４Ｙから各印字ヘッド２２Ｋ、２２Ｃ、２２Ｍ、２２Ｙまでをつなぐインク供給チューブ２６Ｋ、２６Ｃ、２６Ｍ、２６Ｙなどが備えられている。
【００２７】
プリンタ１０には、キャリッジ本体１２を走査方向（矢印Ｂ方向）に案内する２本のガイドレール１８，２０も備えられている。キャリッジ本体１２とガイドレール１８は、ベアリング８２などを介して接触している。一方、キャリッジ本体１２とガイドレール２０は転がり軸受９０を介して接触している。
【００２８】
図２に示すように、キャリッジ本体１２のうち矢印Ａ方向の一端部（固定部１２ａ）は、無端の駆動ベルト３０の一部に固定されている。一方、キャリッジ本体１２のうち矢印Ａ方向他端部（固定部１２ｂ）は、無端の駆動ベルト４０の一部に固定されている。２つの駆動ベルト３０，４０は走査方向に延びている。上記した固定部１２ｂは、２本の駆動ベルト３０，４０の位相ずれに起因してキャリッジ本体１２が走査方向に不安定に移動することを防止するために、その位置を走査方向に自在に調整して固定できるように構成されている。
【００２９】
駆動ベルト３０の長手方向両端部はプーリ３２，３４に掛け渡されて所定の張力で駆動ベルト３０が張られている。駆動ベルト４０の長手方向両端部はプーリ４２，４４に掛け渡されて所定の張力で駆動ベルト４０が張られている。プーリ３４，４４は駆動モータ３６の駆動軸３６ａに固定されており、この駆動モータ３６が駆動することによって駆動ベルト３０，４０が回転してキャリッジ本体１２と共に印字ヘッド２２が走査方向に走査する。なお、駆動軸３６ａは矢印Ａ方向に延びており、駆動ベルト３０，４０の回転を同期させている。また、プーリ３２，４２は、駆動ベルト３０，４０の張りを適正に保つために走査方向（矢印Ｂ方向）に自在に移動して固定できるように構成されている。
【００３０】
図３から図５までを参照して、シャッタユニット１００と回復機構１１０について説明する。
【００３１】
図３は、シャッタユニットと回復機構を示す正面図である。図４は、図３の上面図である。図５は、図３に示すシャッタユニットと回復機構を搬送方向とは逆方向から見て示す断面図である。これらの図では、図１と図２に示す構成要素と同一の構成要素には同一の符号が付されている。
【００３２】
回復機構１１０は、プラテン１６の下方のうち印字ヘッド２２が走査する領域（範囲）の下方に配置されている。回復機構１１０は、印字ヘッド２２のインク吐出面を覆うゴム製のキャップ１１２を備えており、このキャップ１１２は、回復機構１１０の上下動に伴って印字ヘッド２２のインク吐出面に接触したり、インク吐出面から離れたりする。キャップ１１２は、印字ヘッド２２のインク吐出面の形状に合わせた直方体状のものである。キャップ１１２の底部に相当する部分には、印字ヘッド２２のインク吐出面に残留したインクを吸収（捕集）するインク吸収部材１１４が配置されている。また、キャップ１１２の隣には、図５に示すように、印字ヘッド２２のインク吐出面を擦りながらクリーニングを行なう（付着インクを取り除く）ワイパ１１６が配置されている。キャップ１１２とワイパ１１６は一体的に形成されており、これらを印字ヘッド２２に向けて付勢するばね１１８が備えられている。回復機構１１０には、さらに、回復動作の際に印字ヘッド２２から吐出されてインク吸収部材１１４に吸収されたインク（廃インク）を回収する廃インク吸収部材１２０と、インク吸収部材１１４に吸収された廃インクを廃インク吸収部材１２０に送るポンプ１２２が備えられている。
【００３３】
また、回復機構１１０は、キャップ１１２及びワイパ１１６を印字ヘッド２２のインク吐出面から離したりインク吐出面に接触させたりする（隔離及び接合する）ための駆動源であるモータ１２４を備えている。モータ１２４の回転軸１２４ａには、欠損歯を有するモータギア１２６（歯の一部が無いギア）が固定されている。このモータギア１２６には、図４に示すように、中間ギア１２８とシャッタユニット１００のシャッタギア１０２が選択的に噛み合う。中間ギア１２８の回転軸１２８ａには、キャップ１１２及びワイパ１１６を上下動させるためのカム１３０が固定されている。
【００３４】
カム１３０の下方には、回復機構１１０のキャップ１１２とワイパ１１６の昇降位置を検知するセンサ１３２が配置されている。センサ１３２は発光素子１３２ａと受光素子１３２ｂを有し、カム１３０の下方に形成された凸部１３４が発光素子１３２ａと受光素子１３２ｂの間に位置したときは光が遮られるので、キャップ１１２とワイパ１１６が下降している（換言すれば、開口１６ａから出ていない（引っ込んでいる））ことが検知される。この逆に、発光素子１３２ａからの光が受光素子１３２ｂで受光されたときは、キャップ１１２とワイパ１１６が上昇している（換言すればプラテン１６の開口１６ａから出ている）ことが検知される。
【００３５】
上記したシャッタユニット１００は、キャップ１１２とワイパ１１６に付着したインク滴を除去する機能と、プラテン１６を搬送されているカット紙Ｐなどの記録媒体がプラテン１６の開口１６ａに落ち込むことを防止する機能とを有する。シャッタユニット１００は、プラテン１６の下を矢印Ｂ方向に移動する。この移動のために、シャッタギア１０２などから構成されるシャッタギア列１０４が配置されている。シャッタギア列１０４には、シャッタギア１０２の他、このシャッタギア１０２の回転軸１０２ａに固定された第１傘歯車１０６と、この第１傘歯車１０６に噛み合った第２傘歯車１０７と備えている。さらに、第２傘歯車１０７の回転軸１０７ａには、扇形のギア１０８ｂが固定されている。ギア１０８ｂの円弧部分には歯が形成されている。この歯は、板状のシャッタ本体１０８に形成された歯１０８ａに噛み合っている。歯１０８ａは矢印Ｂ方向に延びており、ギア１０８ｂが回転軸１０７ａを中心にして回転することにより、シャッタ本体１０８が矢印Ｂ方向に移動する。図５では、ギア１０８ｂが回転軸１０７ａを中心にして時計方向に回転することにより、シャッタ本体１０８はプラテン１６の開口１６ａを開くように移動し、この逆に、ギア１０８ｂが反時計方向に回転することにより、シャッタ本体１０８は開口１６ａを閉じるように移動する。
【００３６】
シャッタユニット１００のシャッタ本体１０８の下面（回復機構１１０の側）には、キャップ１１２とワイパ１１６に付着したインク滴を吸収する吸収部材１０９が固定されている。また、シャッタ本体１０８の上面には、プラテン１６を搬送されているカット紙Ｐなどの記録媒体がプラテン１６の開口１６ａに落ち込むことを防止する一対のサポート部材１０１が配置されている。サポート部材１０１は、図３に示すように、矢印Ａ方向に延びる板状のものであり、図５に示すような立った状態になるようにばね（図示せず）で付勢されている。
【００３７】
図６から図８までを参照して、キャップ１１２及びワイパ１１６の昇降（出没）動作とシャッターユニット１００の移動について説明する。
【００３８】
図６は、回復機構が降下していると共にシャッタユニットが開口１６ａの下に位置している画像形成時の状態を示す断面図である。図７は、回復機構が降下していると共にシャッタユニットが開口１６ａの下から外れた移行時の状態を示す断面図である。図８は、回復機構が上昇していると共にシャッタユニットが開口１６ａの下から外れた回復動作時の状態を示す断面図である。これらの図では、図５に示す構成要素と同一の構成要素には同一の符号が付されている。また、これらの図は、図５と同様に搬送方向とは逆方向から見たものである。
【００３９】
画像形成時においては、図６に示すように、キャップ１１２及びワイパ１１６は、搬送されるカット紙Ｐとの衝突を回避するために、プラテン１６よりも下方に待機している。一方、シャッタユニット１００は、キャップ１１２及びワイパ１１６を覆うようにプラテン１６の開口１６ａの下（キャップ１１２及びワイパ１１６の上）に位置している。この状態では、キャップ１１２及びワイパ１１６の上端部が吸収部材１０９に接触しており、これより、キャップ１１２及びワイパ１１６に付着しているインク滴が吸収部材１０９に吸収されて除去される。
【００４０】
また、画像形成時では、プラテン１６の開口１６ａにカット紙Ｐが落ち込まないように、サポート部材１０１の上端が搬送面（プラテン１６の上面）と同一面上に位置している。サポート部材１０１は、吸引口１６ｂからの空気吸引によってカット紙Ｐが搬送面から落ち込まない程度の付勢力を持つばね（図示せず）により立った状態になっている。
【００４１】
画像形成時の状態から回復動作時の状態に移行するに際しては、先ず、プラテン１６上にカット紙Ｐが存在しているか否かをセンサ６２（図１参照）によって検知する。プラテン１６上にカット紙Ｐがあった場合、カット紙Ｐに画像を形成し終わった後に、カット紙Ｐを排出（排紙）する。カット紙Ｐではなくてロ−ル紙（連続紙）がプラテン１６上に存在している場合は、ロ−ル紙に画像を形成し終わった後、カッタ８２（図１参照）でロ−ル紙を切断し、ロ−ル紙のうち画像の形成された部分のみを排出し、プラテン１６上に残されている部分は、キャップ１１２及びワイパ１１６の昇降位置に接触しない用紙検知センサ６１（図１参照）の位置までバックフィードさせる。
【００４２】
続いて、モータ１２４を駆動させる。この駆動によってカム１３０が回動するので、キャップ１１２及びワイパ１１６が吸収部材１０９から離れてやや下方に退避して待機する。この場合、欠損歯を持つギア１２６は中間ギア１２８のみに噛み合っており、シャッタギア１０２とは噛み合っていない。このため、シャッタユニット１００は動かない。続いて、ギア１２６が中間ギア１２８から離れて噛み合わなくなり、ギア１２６がシャッタギア１０２と噛み合う。ギア１２６がシャッタギア１０２と噛み合うことにより、シャッタユニット１００は、図７に示すように、プラテン１６の開口１６ａを開くように移動する（スライドする）。これにより、キャップ１１２及びワイパ１１６が開口１６ａの下方で露出する。シャッタユニット１００が、図７に示すように移動することにより、サポート部材１０１はプラテン１６の下面と接触しながら回動し倒れてプラテン１６の下方へ退避する。その後、カム１３０によってキャップ１１２及びワイパ１１６は上昇し、図８に示すように、プラテン１６の開口１６ａから突出することにより印字ヘッド２２のインク吐出面を覆う。この状態で、周知の回復動作が行われる。
【実施例２】
【００４３】
図９と図１０を参照して、本願発明の実施例２を説明する。
【００４４】
図９は、本発明の一例であるプリンタを模式的に示す正面図である。図１０は、図９のプリンタの記録媒体搬送路とその周辺を示す上面図である。これらの図では、図１から図８までに示される構成要素と同一の構成要素には同一の符号が付されている。
【００４５】
実施例２のプリンタ２００が実施例１のプリンタ１０と相違する点は印字ヘッド２２にある。実施例１のプリンタ１０には、矢印Ｂ方向に走査しながらインクを吐出する走査型の印字ヘッド２２が搭載されていたが、実施例２のプリンタ２００では、走査せずに固定したままの状態でインクを吐出する印字ヘッド２２０が搭載されている。各印字ヘッド２２０Ｋ、２２０Ｃ、２２０Ｍ、２２０Ｙは、図１０に示すように、記録媒体の幅方向（矢印Ｂ方向）に延びており、矢印Ａ方向に所定間隔離れて配置されている。実施例１のプリンタ１０では、印字ヘッド２２のインク吐出面の全体を一つのキャップ１１２で覆ったが、実施例２のプリンタ２００では、各印字ヘッド２２０Ｋ、２２０Ｃ、２２０Ｍ、２２０Ｙを別々に覆うキャップ１１２Ｋ、１１２Ｃ、１１２Ｍ、１１２Ｙを回復機構２１０に配置した。これらのキャップ１１２Ｋ、１１２Ｃ、１１２Ｍ、１１２Ｙはベース台１１４に固定されている。このベース台１１４を、実施例１の場合と同様にモータ１２４やカム１３０で昇降させることにより、プラテン１６の開口１６ａからキャップ１１２Ｋ、１１２Ｃ、１１２Ｍ、１１２Ｙを所定のタイミングで出没させることができる。なお、プラテン２００には、プラテン１０と同様にシャッタユニット１００が備えられている。
【実施例３】
【００４６】
図１１と図１２を参照して実施例３を説明する。
【００４７】
図１１は、本発明の一例であるプリンタを模式的に示す正面図である。図１２は、シャッタユニットと回復機構の駆動系を示す上面図である。これらの図では、図１から図８までに示される構成要素と同一の構成要素には同一の符号が付されている。
【００４８】
実施例１のプリンタ１０と実施例３のプリンタ３００の相違点は、シャッタユニット１００と回復機構１１０の駆動モータ１２４を、駆動ローラ５６の駆動にも使用している点にある。実施例１のプリンタ１０では、シャッタユニット１００と回復機構１１０を移動させるときには駆動モータ１２４は駆動するが、駆動ローラ５６を回転させて記録媒体を搬送するときには駆動モータ１２４を駆動させずに、他のモータで駆動ローラ５６を回転させるように構成されている。
【００４９】
これに対し、実施例３のプリンタ３００では、駆動モータ１２４に駆動軸１２４ｂを設け、この駆動軸１２４ｂにギア３０２を固定し、このギア３０２に噛み合うギア３０４を設けた。ギア３０４は、クラッチ３０６の回転軸３０６ａに接続されており、さらに、回転軸３０６ａの端部には無端の伝達ベルト３０８一端を掛けた。この伝達ベルト３０８の他端は、駆動ローラ５６の回転軸に掛けられている。従って、駆動モータ１２４を回転させると共にクラッチ３０６を適宜に働かせることにより、シャッタユニット１００と回復機構１１０を移動させずに、駆動ローラ５６を回転させることができる。このように駆動モータ１２４を搬送モータとしても兼用できるので、その分、部品点数を減少できる。
【図面の簡単な説明】
【００５０】
【図１】本発明のインクジェット方式画像形成装置の一例であるプリンタを模式的に示す正面図である。
【図２】図１のプリンタの記録媒体搬送路とその周辺を示す上面図である。
【図３】シャッタユニットと回復機構を示す正面図である。
【図４】図３の上面図である。
【図５】図３に示すシャッタユニットと回復機構を搬送方向とは逆方向から見て示す断面図である。
【図６】回復機構が降下していると共にシャッタユニットが開口１６ａの下に位置している画像形成時の状態を示す断面図である。
【図７】回復機構が降下していると共にシャッタユニットが開口１６ａの下から外れた移行時の状態を示す断面図である。
【図８】回復機構が上昇していると共にシャッタユニットが開口１６ａの下から外れた回復動作時の状態を示す断面図である。
【図９】本発明の一例であるプリンタを模式的に示す正面図である。
【図１０】図９のプリンタの記録媒体搬送路とその周辺を示す上面図である。
【図１１】本発明の一例であるプリンタを模式的に示す正面図である。
【図１２】シャッタユニットと回復機構の駆動系を示す上面図である。
【符号の説明】
【００５１】
１０，２００，３００  プリンタ
１６  プラテン
１６ａ  開口
２２，２２０  印字ヘッド
５６  駆動ローラ
１００  シャッタユニット
１０１  サポート部材
１１０，２１０  回復機構
１１２，１１２Ｋ，１１２Ｃ，１１２Ｍ，１１２Ｙ  キャップ
１１４  インク吸収部材
１１６  ワイパ
１１８  ばね
１２４  モータ
３０６  クラッチ
３０８  伝達ベルト
【図１】
2006142564.tif 000003
【図２】
2006142564.tif 000004
【図３】
2006142564.tif 000005
【図４】
2006142564.tif 000006
【図５】
2006142564.tif 000007
【図６】
2006142564.tif 000008
【図７】
2006142564.tif 000009
【図８】
2006142564.tif 000010
【図９】
2006142564.tif 000011
【図１０】
2006142564.tif 000012
【図１１】
2006142564.tif 000013
【図１２】
2006142564.tif 000014